(57)【要約】【課題】連携してサービスを提供することができるシステム、方法及び情報蓄積装置を提供することを課題とする。【解決手段】操作端末と情報蓄積装置とが接続されたシステムであって、操作端末は、システムに接続される複数の電子機器のうち情報蓄積装置に電子データを入力させる電子機器を、操作端末における操作に応じて操作端末の外部から操作端末に入力される情報に基づいて特定する特定手段と、特定された電子機器に情報蓄積装置へ電子データの入力を実行させる第１の要求を情報蓄積装置に送信する第１の送信手段と、を有し、情報蓄積装置は、第１の送信手段で送信された第１の要求に基づいて、情報蓄積装置へ電子データの入力を実行させる第２の要求を電子機器に送信する第２の送信手段と、第２の送信手段で送信された第２の要求に応じて電子機器から送信される電子データを情報蓄積装置に蓄積させる蓄積手段と、を有することにより、上記課題を解決する。【選択図】図１
2014032661.tif 000002
【特許請求の範囲】
【請求項１】
操作端末と情報蓄積装置とが接続されたシステムであって、
前記操作端末は、
前記システムに接続される複数の電子機器のうち前記情報蓄積装置に電子データを入力させる電子機器を、前記操作端末における操作に応じて前記操作端末の外部から前記操作端末に入力される情報に基づいて特定する特定手段と、
前記特定手段で特定された電子機器に前記情報蓄積装置へ電子データの入力を実行させる第１の要求を前記情報蓄積装置に送信する第１の送信手段と、
を有し、前記情報蓄積装置は、
前記第１の送信手段で送信された第１の要求に基づいて、前記情報蓄積装置へ電子データの入力を実行させる第２の要求を前記電子機器に送信する第２の送信手段と、
前記第２の送信手段で送信された第２の要求に応じて前記電子機器から送信される電子データを前記情報蓄積装置に蓄積させる蓄積手段と、
を有することを特徴とするシステム。
【請求項２】
前記操作端末の外部から前記操作端末に入力される情報は、前記電子機器を識別する識別情報を少なくとも含み、
前記操作端末の前記特定手段は、前記情報蓄積装置に電子データを入力させる前記電子機器を、前記操作端末に入力される前記情報に含まれる前記識別情報に基づいて特定する
ことを特徴とする請求項１に記載のシステム。
【請求項３】
前記第１の要求は、前記電子機器が電子データを生成するための設定を含み、
前記第２の要求は、前記操作端末から送信される前記第１の要求に含まれる前記設定を含み、
前記蓄積手段は、前記電子機器が前記第２の要求に含まれる設定に基づいて生成した電子データを前記情報蓄積装置に蓄積する
ことを特徴とする請求項１又は２に記載のシステム。
【請求項４】
前記操作端末の外部から取得する情報は、前記電子機器が表示する画像または前記電子機器に貼り付けられた画像を前記操作端末が撮影することにより前記操作端末が取得する画像情報であることを特徴とする請求項１乃至３何れか一項に記載のシステム。
【請求項５】
前記情報蓄積装置は電子データを記憶する蓄積部を有し、
前記蓄積手段は、前記電子データを前記蓄積部に蓄積させることを特徴とする請求項１乃至４何れか一項に記載のシステム
【請求項６】
前記第１の要求は、前記電子機器から送信される電子データを蓄積する蓄積場所を指定する指定情報を含み、
前記第２の要求は、前記操作端末から送信される前記第１の要求に含まれる前記指定情報を含み、
前記蓄積手段は、前記電子機器から前記第２の要求に応じて送信される電子データを前記指定情報によって指定される蓄積場所に蓄積する
ことを特徴とする請求項５に記載のシステム。
【請求項７】
操作端末と情報蓄積装置とが接続されたシステムが行う方法であって、
前記システムに接続される複数の電子機器のうち前記情報蓄積装置に電子データを入力させる電子機器を、前記操作端末における操作に応じて前記操作端末の外部から前記操作端末に入力される情報に基づいて特定する特定ステップと、
前記特定ステップで特定された電子機器に前記情報蓄積装置へ電子データの入力を実行させる要求を前記電子機器に送信する送信ステップと、
前記送信ステップで送信された要求に応じて前記電子機器から送信される電子データを前記情報蓄積装置に蓄積させる蓄積ステップと、
を有することを特徴とする方法。
【請求項８】
前記操作端末の外部から前記操作端末に入力される情報は、前記電子機器を識別する識別情報を少なくとも含み、
前記特定ステップは、前記システムに接続される複数の電子機器のうち前記情報蓄積装置に電子データを入力させる電子機器を、前記操作端末に入力される前記情報に含まれる識別情報に基づいて特定する
ことを特徴とする請求項７に記載の方法。
【請求項９】
前記要求は、該電子機器が電子データを生成するための設定を前記情報蓄積装置に送信し、
前記第２の送信手段は、前記第２の要求を前記電子機器に送信するとともに、前記操作端末から送信された設定を前記電子機器に送信し、
前記蓄積手段は、前記第２の要求に応じて前記電子機器から送信される前記第２の送信手段で送信された設定に基づいて前記電子機器によって生成された電子データを前記情報蓄積装置に蓄積する
ことを特徴とする請求項７又は８に記載の方法。
【請求項１０】
前記操作端末の外部から取得する情報は、前記電子機器が表示する画像または前記電子機器に貼り付けられた画像を前記操作端末が撮影することにより前記操作端末が取得する画像情報であることを特徴とする請求項７乃至９何れか一項に記載の方法。
【請求項１１】
前記情報蓄積装置は電子データを記憶する蓄積部を有し、
前記蓄積ステップは、前記電子データを前記蓄積部に蓄積させることを特徴とする請求項７乃至１０何れか一項に記載の方法。
【請求項１２】
前記要求は、前記電子機器から送信される電子データを蓄積する蓄積場所を指定する指定情報を含み、
前記蓄積ステップは、前記電子機器から前記第２の要求に応じて送信される電子データを前記指定情報によって指定される蓄積場所に蓄積する
ことを特徴とする請求項１１に記載の方法。
【請求項１３】
操作端末と複数の電子機器と接続される情報蓄積装置であって、
当該情報蓄積装置に接続される複数の電子機器のうち該情報蓄積装置に電子データを入力させる電子機器を、前記操作端末における操作に応じて前記操作端末の外部から前記操作端末に入力される情報に基づいて前記操作端末が特定し、特定された電子機器に前記情報蓄積装置へ電子データの入力を実行させる第１の要求を前記操作端末から受信する受信手段と、
前記受信手段で受信された第１の要求に基づいて、前記情報蓄積装置へ電子データの入力を実行させる第２の要求を前記電子機器に送信する送信手段と、
前記第２の送信手段で送信された第２の要求に応じて前記電子機器から送信される電子データを当該情報蓄積装置に蓄積させる蓄積手段と、
を有することを特徴とする情報蓄積装置。
【請求項１４】
前記第１の要求は、前記電子機器が電子データを生成するための設定を含み、
前記第２の要求は、前記操作端末から送信される前記第１の要求に含まれる前記設定を含み、
前記蓄積手段は、前記電子機器が前記第２の要求に含まれる設定に基づいて生成した電子データを前記情報蓄積装置に蓄積する
ことを特徴とする請求項１３に記載の情報蓄積装置。
【請求項１５】
当該情報蓄積装置は電子データを記憶する蓄積部を有し、
前記蓄積手段は、前記電子データを前記蓄積部に蓄積させることを特徴とする請求項１３又は１４に記載の情報蓄積装置。
【発明の詳細な説明】
【技術分野】
【０００１】
本発明は、システム、方法及び情報蓄積装置に関する。
【背景技術】
【０００２】
例えば異なる複数の機器を連携させた通信サービスを容易に実現することのできる上位セッション管理サーバは従来から知られている（例えば特許文献１参照）。
【発明の概要】
【発明が解決しようとする課題】
【０００３】
近年、ユーザは電子データを出力するプリンタ、複合機、プロジェクタなどの様々な電子機器や、携帯電話、スマートフォン、タブレット端末などの様々な情報処理装置を利用するようになっている。これら電子機器や情報処理装置を利用する形態（システム）では様々な電子機器と情報処理装置とが連携することにより利用価値の向上が期待される。
【０００４】
しかしながら、電子機器や情報処理装置を利用する従来のシステムでは、様々な電子機器や情報処理装置を連携させてサービスを提供する仕組みがなかった。
【０００５】
本発明の一実施形態は、上記の点に鑑みなされたもので、連携してサービスを提供することができるシステム、方法及び情報蓄積装置を提供することを目的とする。
【課題を解決するための手段】
【０００６】
上記目的を達成するため、本願請求項１は、操作端末と情報蓄積装置とが接続されたシステムであって、前記操作端末は、前記システムに接続される複数の電子機器のうち前記情報蓄積装置に電子データを入力させる電子機器を、前記操作端末における操作に応じて前記操作端末の外部から前記操作端末に入力される情報に基づいて特定する特定手段と、前記特定手段で特定された電子機器に前記情報蓄積装置へ電子データの入力を実行させる第１の要求を前記情報蓄積装置に送信する第１の送信手段と、を有し、前記情報蓄積装置は、前記第１の送信手段で送信された第１の要求に基づいて、前記情報蓄積装置へ電子データの入力を実行させる第２の要求を前記電子機器に送信する第２の送信手段と、前記第２の送信手段で送信された第２の要求に応じて前記電子機器から送信される電子データを前記情報蓄積装置に蓄積させる蓄積手段と、を有することを特徴とする。
【発明の効果】
【０００７】
本発明の一実施形態によれば、連携してサービスを提供することができるシステム、方法及び情報蓄積装置を提供可能である。
【図面の簡単な説明】
【０００８】
【図１】本実施形態に係るサービス提供システムの一例の構成図である。
【図２】本実施形態に係るコンピュータシステムの一例のハードウェア構成図である。
【図３】本実施形態に係る情報蓄積装置の一例の処理ブロック図である。
【図４】本実施形態に係るサービス提供システムの処理手順を表した一例のシーケンス図である。
【図５】ファイル一覧取得要求に対するレスポンスの一例の構成図である。
【図６】ＩＴフォルダ選択画面の一例のイメージ図である。
【図７】フォルダ表示画面の一例のイメージ図である。
【図８】アップロード画面の一例のイメージ図である。
【図９】フォルダ選択画面の一例のイメージ図である。
【図１０】ＱＲコード読み取り画面の一例のイメージ図である。
【図１１】スキャン設定画面の一例のイメージ図である。
【図１２】ＱＲコードから読み取る情報の一例の構成図である。
【図１３】ファイルに含まれるスキャン情報の一例の構成図である。
【図１４】情報蓄積装置からＭＦＰへのスキャン開始命令に用いられるコマンドの一例の構成図である。
【図１５】ＭＦＰ上に表示されるＱＲコードの一例のイメージ図である。
【図１６】ＭＦＰ上に表示されるトップ画面の一例のイメージ図である。
【図１７】情報蓄積装置の処理手順を表した一例のフローチャートである。
【図１８】本実施形態に係るサービス提供システムの処理手順を表した他の例のシーケンス図である。
【図１９】本実施形態に係るサービス提供システムの処理手順を表した他の例のシーケンス図である。
【図２０】本実施形態に係るサービス提供システムの処理手順を表した他の例のシーケンス図である。
【図２１】本実施形態に係るサービス提供システムの処理手順を表した一例のシーケンス図である。
【図２２】本実施形態に係るサービス提供システムの処理手順を表した他の例のシーケンス図である。
【図２３】本実施形態に係るサービス提供システムの処理手順を表した他の例のシーケンス図である。
【図２４】本実施形態に係るサービス提供システムの処理手順を表した一例のシーケンス図である。
【図２５】ファイル一覧表示画面の一例のイメージ図である。
【図２６】ファイル詳細表示画面の一例のイメージ図である。
【図２７】印刷設定画面の一例のイメージ図である。
【図２８】ＱＲコード読み取り画面の一例のイメージ図である。
【図２９】ダウンロード中であることを示す画面の一例のイメージ図である。
【図３０】印刷ファイルをＭＦＰに送信する方法の一例を表した説明図である。
【図３１】印刷ファイルに含まれるプリントコマンドの一例の構成図である。
【図３２】スマートフォンの処理手順を表した一例のフローチャートである。
【図３３】本実施形態に係るサービス提供システムの処理手順を表した他の例のシーケンス図である。
【図３４】ＱＲコードから読み取る情報の一例の構成図である。
【図３５】投影ファイルをプロジェクタに送信する方法の一例を表した説明図である。
【図３６】プロジェクタ上に表示されるＱＲコードの一例のイメージ図である。
【図３７】本実施形態に係るサービス提供システムの処理手順を表した他の例のシーケンス図である。
【図３８】本実施形態に係るサービス提供システムの処理手順を表した一例のシーケンス図である。
【図３９】本実施形態に係るサービス提供システムの処理手順を表した他の例のシーケンス図である。
【図４０】本実施形態に係るサービス提供システムの処理手順を表した他の例のシーケンス図である。
【発明を実施するための形態】
【０００９】
次に、本発明の実施の形態について、詳細に説明する。
［第１の実施形態］
＜システム構成＞
図１は本実施形態に係るサービス提供システムの一例の構成図である。図１のサービス提供システム１は、情報蓄積装置１０、一台以上のスマートフォン１１、一台以上のタブレット端末１２、一台以上のＭＦＰ（Ｍｕｌｔｉ  Ｆｕｎｃｔｉｏｎ  Ｐｅｒｉｐｈｅｒａｌ：複合機）１３、プロジェクタ１４が、ＬＡＮ（Local Area Network）などのネットワークＮ１に接続される構成を一例として示している。
【００１０】
ネットワークＮ１は例えば企業内ネットワークなど、プライベート環境のネットワークを利用できる。スマートフォン１１及びタブレット端末１２はユーザが携帯して操作する情報処理装置の一例である。情報処理装置は、スマートフォン１１、タブレット端末１２の他、携帯電話、ノートＰＣなど、ユーザが操作できる装置であればよい。
【００１１】
ＭＦＰ１３及びプロジェクタ１４はサービス（印刷、スキャン、投影など）を提供する為の電子機器の一例である。電子機器はＭＦＰ１３及びプロジェクタ１４の他、プリンタ、スキャナ、複写機、画像表示装置など、サービスを提供できる装置であればよい。
【００１２】
ＭＦＰ１３は画像形成装置の一例である。ＭＦＰ１３は撮像機能、画像形成機能及び通信機能を備え、プリンタ、ファクシミリ、スキャナ、複写機として利用可能である。プロジェクタ１４は画像投影装置の一例である。プロジェクタ１４は投影機能及び通信機能を備える。
【００１３】
情報蓄積装置１０は連携処理装置の一例である。情報蓄積装置１０はＭＦＰ１３やプロジェクタ１４で処理できないような高機能処理の実行や、ファイルサーバとしての処理の実行を行う。なお、情報蓄積装置１０はスマートフォン１１やタブレット端末１２などの情報処理装置（操作端末）と連携して、ＭＦＰ１３やプロジェクタ１４などの電子機器を用いたサービスを提供する。なお、情報蓄積装置１０は複数のコンピュータに分散して構成するようにしてもよい。
【００１４】
＜ハードウェア構成＞
情報蓄積装置１０は例えば図２に示すハードウェア構成のコンピュータシステムにより実現される。なお、スマートフォン１１やタブレット端末１２などの情報処理装置も図２に示すハードウェア構成を含む構成である。図２は本実施形態に係るコンピュータシステムの一例のハードウェア構成図である。
【００１５】
図２のコンピュータシステム１００は、入力装置１０１、表示装置１０２、外部Ｉ／Ｆ１０３、ＲＡＭ１０４、ＲＯＭ１０５、ＣＰＵ１０６、通信Ｉ／Ｆ１０７及びＨＤＤ１０８などを備え、それぞれがバスＢで相互に接続されている。入力装置１０１はキーボードやマウスなどを含み、コンピュータシステム１００に各操作信号を入力するのに用いられる。
【００１６】
表示装置１０２はディスプレイなどを含み、コンピュータシステム１００による処理結果を表示する。通信Ｉ／Ｆ１０７はコンピュータシステム１００をネットワークＮ１に接続するインターフェースである。これにより、コンピュータシステム１００は通信Ｉ／Ｆ１０７を介して、他の装置、機器とデータ通信を行うことができる。
【００１７】
ＨＤＤ１０８は、プログラムやデータを格納している不揮発性の記憶装置である。格納されるプログラムやデータには、コンピュータシステム１００全体を制御する基本ソフトウェアであるＯＳ（Operating System）、及び、ＯＳ上において各種機能を提供するアプリケーションソフトウェアなどがある。また、ＨＤＤ１０８は、格納しているプログラムやデータを、所定のファイルシステム及び／又はＤＢ（Data Base）により管理している。
【００１８】
外部Ｉ／Ｆ１０３は、外部装置とのインターフェースである。外部装置には、記録媒体１０３ａなどがある。これにより、コンピュータシステム１００は外部Ｉ／Ｆ１０３を介して、記録媒体１０３ａの読み取り及び／又は書き込みを行うことができる。なお、記録媒体１０３ａにはフレキシブルディスク、ＣＤ、ＤＶＤ（Digital Versatile Disk）、ＳＤメモリカード（SD Memory card）、ＵＳＢメモリ（Universal Serial Bus memory）等がある。
【００１９】
ＲＯＭ１０５は、電源を切ってもプログラムやデータを保持することができる不揮発性の半導体メモリ（記憶装置）である。ＲＯＭ１０５には、コンピュータシステム１００の起動時に実行されるＢＩＯＳ（Basic Input/Output System）、ＯＳ設定、及びネットワーク設定などのプログラムやデータが格納されている。ＲＡＭ１０４は、プログラムやデータを一時保持する揮発性の半導体メモリ（記憶装置）である。
【００２０】
ＣＰＵ１０６は、ＲＯＭ１０５やＨＤＤ１０８などの記憶装置からプログラムやデータをＲＡＭ１０４上に読み出し、処理を実行することで、コンピュータシステム１００全体の制御や機能を実現する演算装置である。
【００２１】
本実施形態に係るコンピュータシステム１００は、上記ハードウェア構成により、後述するような各種処理を実現できる。
【００２２】
＜ソフトウェア構成＞
本実施形態に係る情報蓄積装置１０は例えば図３に示す処理ブロックで実現される。図３は本実施形態に係る情報蓄積装置の一例の処理ブロック図である。情報蓄積装置１０はプログラムを実行することで、ＯＳ２１、Ｗｅｂサーバ２２、アプリケーションサーバ２３、ＷｅｂＵＩ２４、ＱＲコード表示ＷｅｂＵＩ２５、ＷｅｂＡｐｉ２６、共有フォルダ２７、ドキュメント管理２８、Ｗｅｂ制御２９を実現している。
【００２３】
ＯＳ２１は情報蓄積装置１０のオペレーティングシステムであり、システム全体を制御する。ＯＳ２１は、例えばＷｉｎｄｏｗｓ（登録商標）やＬｉｎｕｘ（登録商標）などである。
【００２４】
Ｗｅｂサーバ２２はＨＴＴＰ（Hyper Text Transfer Protocol）で情報を送受信するソフトウェアである。Ｗｅｂサーバ２２は例えばＡｐａｃｈｅ（登録商標）やＩＩＳ（登録商標）などである。
【００２５】
アプリケーションサーバ２３は例えばＷｅｂサーバ２２のプラグインとして動作するソフトウェアである。アプリケーションサーバ２３は例えばＴｏｍｃａｔ（登録商標）などである。
【００２６】
ＷｅｂＵＩ２４はＨＴＴＰリクエストによりシステム設定画面を表示する。ユーザはＷｅｂブラウザ（図示せず）を使用して、システム設定画面から設定の変更を行うことができる。
【００２７】
ＱＲコード表示ＷｅｂＵＩ２５はＨＴＴＰリクエストによりコード情報の一例であるＱＲコード（登録商標）の画面をＭＦＰ１３などの電子機器に表示する。ＱＲコードはマトリックス型二次元コードである。
【００２８】
ＷｅｂＡｐｉ（Application Programming Interface）２６はネットワークＮ１経由で利用可能である。ＷｅｂＡｐｉ２６はＨＴＴＰリクエストを受け付け、ＨＴＴＰリクエストに応じた処理を行い、ＨＴＴＰレスポンスを行う。
【００２９】
ＷｅｂＡｐｉ２６は、スマートフォン１１やタブレット端末１２などの情報処理装置からのリクエスト（要求）を受信するために設けられた予め定義されたインターフェースであり、例えば関数やクラス等により構成される。
【００３０】
また、情報蓄積装置１０のＷｅｂＡｐｉ２６をＳＤＫ（ソフトウェア開発キット）として情報処理装置に搭載されるアプリケーションの開発者に提供できる。アプリケーションの開発者はＳＤＫを使用してアプリケーションを開発できる。ＳＤＫは情報蓄積装置１０の提供者以外のサードベンダにも提供できる。サードベンダは提供されたＳＤＫを使用してアプリケーションを開発できる。ＳＤＫを使用して開発されたアプリケーションは情報処理装置に搭載できる。
【００３１】
情報蓄積装置１０のＷｅｂＡｐｉをＳＤＫとして提供することにより、情報処理装置は情報蓄積装置１０の提供者が開発したアプリケーションだけでなく、サードベンダが開発したアプリケーションも搭載できるようになる。
【００３２】
共有フォルダ２７はＳＭＢ（Server Message Block）プロトコルによってネットワークＮ１上で公開されたフォルダである。ユーザはスマートフォン１１やタブレット端末１２などの情報処理装置を用いて、共有フォルダ２７にアクセスできる。
【００３３】
ドキュメント管理２８は共有フォルダ２７に置かれたファイルを管理し、Ｗｅｂ制御２９からの要求に応じてデータ変換する処理を行う。なお、本実施形態におけるファイルはデータの一形態である。Ｗｅｂ制御２９はＷｅｂＡｐｉ２６からの要求に応じてドキュメント管理２８を制御する処理を行う。
【００３４】
なお、情報蓄積装置１０は大きく分けて２つのプロセスが動作している。１つのプロセスはＷｅｂサーバ２２、アプリケーションサーバ２３、ＷｅｂＵＩ２４、ＱＲコード表示ＷｅｂＵＩ２５、ＷｅｂＡｐｉ２６を有している。もう１つのプロセスは、共有フォルダ２７、ドキュメント管理２８、Ｗｅｂ制御２９を有している。したがって、ＷｅｂＡｐｉ２６とＷｅｂ制御２９とはプロセス間通信を行う。
【００３５】
＜処理の詳細＞
以下では、本実施形態に係るサービス提供システム１の処理の詳細について説明する。
【００３６】
ここでは、スマートフォン１１を使用してＭＦＰ１３にスキャンを実行させ、スキャンをしたデータを情報蓄積装置１０に保存する場合の処理について説明する。図４は、本実施形態に係るサービス提供システムの処理手順を表した一例のシーケンス図である。
【００３７】
ユーザはスマートフォン１１を操作し、ファイル一覧表示処理を選択する。ユーザによりファイル一覧表示処理が選択されると、ステップＳ１において、スマートフォン１１は情報蓄積装置１０へのファイル一覧取得要求を例えばＨＴＴＰリクエスト（ＧＥＴ）により行う。
【００３８】
ステップＳ２において、情報蓄積装置１０のＷｅｂＡｐｉ２６はファイル一覧取得要求を受け付け、Ｗｅｂ制御２９にファイル一覧取得要求を行う。Ｗｅｂ制御２９はＷｅｂＡｐｉ２６からのファイル一覧取得要求に応じてドキュメント管理２８からファイル一覧を取得し、ファイル一覧をＷｅｂＡｐｉ２６に返す。ＷｅｂＡｐｉ２６は図５に示すようなＨＴＴＰレスポンスによりファイル一覧をスマートフォン１１に提供する。
【００３９】
図５はファイル一覧取得要求に対するレスポンスの一例の構成図である。図５のレスポンスはＪｓｏｎ形式となっているが、スマートフォン１１でファイル一覧を表示可能であれば他の形式であってもよい。スマートフォン１１に搭載されているアプリケーションは図５に示すようなファイル一覧取得要求に対するレスポンスを元に、情報蓄積装置１０が公開しているファイル一覧（フォルダを含む）を表示する。
【００４０】
ステップＳ１〜Ｓ２の処理を繰り返すことで、スマートフォン１１には図６〜図７に示す画面が表示される。図６はＩＴフォルダ選択画面の一例のイメージ図である。図６のＩＴフォルダ選択画面１０００はＩＴフォルダとして「ＡｌｌＵｓｅｒｓ」又は「ｙａｍａｄａ」を選択できる。
【００４１】
図７はフォルダ表示画面の一例のイメージ図である。図７のフォルダ表示画面１０１０はＩＴフォルダ選択画面１０００から「ＡｌｌＵｓｅｒｓ」ＩＴフォルダが選択されたあとの画面例である。図７のフォルダ表示画面１０１０はフォルダとして「ｃａｔｅｇｏｒｙ」「ｄａｔａ」又は「ｗｏｒｋｆｌｏｗ」が表示されている。図７のフォルダ表示画面１０１０で「Ｕｐｌｏａｄ」ボタン１０１１が押下されると、スマートフォン１１は図８に示すアップロード画面１０２０を表示する。
【００４２】
図８はアップロード画面の一例のイメージ図である。図８のアップロード画面１０２０はアップロード先のフォルダを選択するための「フォルダ選択ボタン」１０２１を有している。スマートフォン１１は「フォルダ選択ボタン」１０２１が押下されると、図９に示すフォルダ選択画面１０３０を表示する。図９はフォルダ選択画面の一例のイメージ図である。ユーザは図９のフォルダ選択画面１０３０からアップロード先のフォルダを選択できる。
【００４３】
また、図８のアップロード画面１０２０はアップロード先のフォルダにアップロードするファイルの生成方法を指定するボタンの一例として「カメラで撮影して送信する」ボタンと「スキャンして送信する」ボタン１０２２とを有している。スマートフォン１１を使用してＭＦＰ１３にスキャンを実行させ、スキャンをしたデータを情報蓄積装置１０に保存する場合、ユーザは「スキャンして送信する」ボタン１０２２を押下する。
【００４４】
なお、スマートフォン１１のカメラ機能を使用して撮影し、撮影したデータを情報蓄積装置１０に保存する場合、ユーザは「カメラで撮影して送信する」ボタンを押下すればよい。
【００４５】
ステップＳ３において、ユーザはスマートフォン１１を操作し、図９のフォルダ選択画面１０３０に表示されたフォルダからスキャンデータを保存するフォルダを選択する。ここでは、フォルダ選択画面１０３０から「ｄａｔａ」フォルダが選択されたものとして説明する。
【００４６】
ユーザはスマートフォン１１を操作して図８のアップロード画面１０２０の「スキャンして送信する」ボタン１０２２を押下することで例えば図１０に示すＱＲコード読み取り画面１１００をスマートフォン１１に表示させる。図１０はＱＲコード読み取り画面の一例のイメージ図である。ＱＲコード読み取り画面１１００には、スキャン設定ボタン１１０１と、ＱＲコード表示領域１１０２とが含まれる。ＱＲコード表示領域１１０２はカメラ機能により撮影された画像が表示される領域である。
【００４７】
ステップＳ４において、ユーザは例えばスキャン設定ボタン１１０１を押下することにより図１１に示すスキャン設定画面１１１０をスマートフォン１１に表示させ、スキャン設定を行う。図１１は、スキャン設定画面の一例のイメージ図である。ユーザはスマートフォン１１を操作し、図１１のスキャン設定画面１１１０からＭＦＰ１３Ａに実行させるスキャンの設定を行う。
【００４８】
なお、ステップＳ４のスキャン設定を行うタイミングは図４のタイミングに限定されるものではなく、ステップＳ１のファイル一覧取得要求の前に行ってもよいし、ステップＳ３のフォルダ選択の前に行ってもよい。
【００４９】
ステップＳ５、Ｓ６において、ユーザはスマートフォン１１を操作し、カメラ機能により撮影されたＱＲコードがＱＲコード読み取り画面１１００のＱＲコード表示領域１１０２に表示されるように、ＭＦＰ１３Ａ上に表示されたＱＲコードと、スマートフォン１１との位置関係を調整する。
【００５０】
スマートフォン１１のアプリケーションはカメラ機能により撮影されたＱＲコードから図１２に示すようなＭＦＰ１３ＡのＩＰアドレスと機能情報とを読み取る。図１２はＱＲコードから読み取る情報の一例の構成図である。
【００５１】
なお、ＩＰアドレス及び機能情報の取得方法は、上記のＱＲコードを撮影することで取得するだけでなく、赤外線通信やＢｌｕｅｔｏｏｔｈ（登録商標）、ＮＦＣ等、スマートフォン１１とＭＦＰ１３Ａとが情報をやり取りするための通信手段を利用して取得するのであればＱＲコードに限定されない。
【００５２】
ステップＳ７において、スマートフォン１１のアプリケーションは情報蓄積装置１０にスキャン開始命令を行う。スキャン開始命令には、スキャン情報と、スキャンを行わせるＭＦＰ１３ＡのＩＰアドレスとが含まれる。
【００５３】
ステップＳ７のスキャン開始命令には、スキャン情報と、スキャンを行わせるＭＦＰ１３ＡのＩＰアドレスとが含まれるファイルを、スマートフォン１１のアプリケーションが情報蓄積装置１０の所定のフォルダに書き込む方法がある。
【００５４】
図１３はファイルに含まれるスキャン情報の一例の構成図である。図１３のスキャン情報には、図１１のスキャン設定画面１１１０により設定されたスキャン設定と、スキャンデータを保存するフォルダのパス「ＡｌｌＵｓｅｒｓ／ｄａｔａ／」とが含まれる。
【００５５】
情報蓄積装置１０は所定のフォルダをポーリングにより監視する。スキャン情報と、スキャンを行わせるＭＦＰ１３ＡのＩＰアドレスとが含まれるファイルが所定のフォルダに書き込まれると、情報蓄積装置１０はステップＳ８において、所定のフォルダに書き込まれたファイルを元に、ＭＦＰ１３Ａにスキャン開始命令を行う。なお、ステップＳ７のスキャン開始命令は、ＷｅｂＡｐｉ２６を利用して行ってもよい。
【００５６】
ステップＳ８のスキャン開始命令は例えば図１４に示すコマンドを用いてＭＦＰ１３Ａにスキャン開始命令を行う。図１４は情報蓄積装置からＭＦＰへのスキャン開始命令に用いられるコマンドの一例の構成図である。図１４のコマンドには、スキャンデータを保存するフォルダのパスを示すコマンド、スキャン設定を示すコマンドが含まれる。
【００５７】
ステップＳ９において、ＭＦＰ１３Ａは情報蓄積装置１０からのスキャン開始命令に含まれるスキャン設定に基づき、スキャンを実行する。ステップＳ１０において、ＭＦＰ１３Ａは情報蓄積装置１０からのスキャン開始命令に含まれる「スキャンデータを保存するフォルダのパス」に基づき、ステップＳ３でユーザが選択した情報蓄積装置１０のフォルダにスキャンデータを保存する。
【００５８】
なお、情報蓄積装置１０は、例えばＭＦＰ１３Ａが公開しているスキャン用のＪａｖａｓｃｒｉｐｔ（登録商標）を利用することで、ネットワークＮ１経由でＭＦＰ１３Ａにスキャンを実行させることができる。
【００５９】
また、ＭＦＰ１３ＡはＷｅｂブラウザ（図示せず）で情報蓄積装置１０のＱＲコード表示ＷｅｂＵＩ２５を表示することで、図１５に示すようにＱＲコード１２０１を含む画面１２００を操作パネルなどに表示できる。
【００６０】
図１５はＭＦＰ上に表示されるＱＲコードの一例のイメージ図である。なお、図１５の画面１２００は例えば図１６に示すようなＭＦＰ１３ＡのＷｅｂブラウザ（図示せず）のトップ画面１２１０の「ＭＦＰ  Ｅｖｅｒｙｗｈｅｒｅ」ボタン１２１１を押下することで表示される。図１６はＭＦＰ上に表示されるトップ画面の一例のイメージ図である。
【００６１】
なお、図１５では画面１２００にＱＲコード１２０１を表示する例を説明したが、例えばＭＦＰ１３Ａの筐体にＱＲコード１２０１のシールを貼付しておいてもよい。また、ＭＦＰ１３ＡはＱＲコード１２０１の画像データを自機内に保存しておいてもよい。ＭＦＰ１３Ａの筐体にＱＲコード１２０１のシールを貼付する以外にも、例えばＭＦＰ１３Ａが設置されている部屋の壁などにＱＲコード１２０１のシールを貼付してもよい。つまり、シールを貼付する位置は、ＭＦＰ１３Ａに紐付くＱＲコード１２０１であることをユーザが認識できる位置であればよい。
【００６２】
図１７は情報蓄積装置の処理手順を表した一例のフローチャートである。ステップＳ２１において、情報蓄積装置１０は例えばＭＦＰ１３の画面１２００にＱＲコード１２０１を表示させる。
【００６３】
ステップＳ２２において、情報蓄積装置１０はスキャン情報と、スキャンを行わせるＭＦＰ１３ＡのＩＰアドレスとが含まれるファイルが、所定のフォルダに書き込まれていないか検知する。スキャン情報と、スキャンを行わせるＭＦＰ１３ＡのＩＰアドレスとが含まれるファイルが、所定のフォルダに書き込まれていることを検知するまで、情報蓄積装置１０はステップＳ２２の処理を繰り返す。
【００６４】
なお、スキャン情報と、スキャンを行わせるＭＦＰ１３ＡのＩＰアドレスとが含まれるファイルが、所定のフォルダに書き込まれていることを検知すると、情報蓄積装置１０はステップＳ２４において、所定のフォルダに書き込まれたファイルからスキャン情報を取得する。
【００６５】
ステップＳ２５において、情報蓄積装置１０は所定のフォルダに書き込まれたファイルに含まれる「スキャンを行わせるＭＦＰ１３ＡのＩＰアドレス」を元に、スキャン開始命令を行うＭＦＰ１３Ａを選択し、さらに、所定のフォルダに書き込まれたファイルに含まれるスキャン情報を元に、ＭＦＰ１３Ａにスキャン開始命令を行う。
【００６６】
ステップＳ２６において、情報蓄積装置１０はスキャン開始命令に含まれる「スキャンデータを保存するフォルダのパス」に基づき、ステップＳ３でユーザが選択したフォルダにスキャンデータが保存される。
【００６７】
図４のシーケンス図によれば、情報蓄積装置１０にＷｅｂＡｐｉ２６を搭載することによりスマートフォン１１に情報蓄積装置１０のフォルダを表示でき、スマートフォン１１からフォルダを選択し、スキャンを実行させたいＭＦＰ１３ＡのＱＲコード１２０１を読み取ることにより、スキャンデータを情報蓄積装置１０の選択したフォルダに保存することができる。
【００６８】
このように、ユーザはスキャン開始時にスマートフォン１１をＭＦＰ１３Ａにかざすことにより、情報蓄積装置１０とスマートフォン１１とＭＦＰ１３Ａとが連携し、ＭＦＰ１３Ａでスキャンしたスキャンデータを、情報蓄積装置１０の選択したフォルダに容易に保存できる。
【００６９】
図４のシーケンス図ではスマートフォン１１を使用してＭＦＰ１３Ａにスキャンを実行させ、スキャンをしたデータを情報蓄積装置１０に保存する場合の処理を示した。本実施形態に係るサービス提供システム１は図１８のシーケンス図に示すように、タブレット端末１２を使用してＭＦＰ１３Ｂにスキャンを実行させ、スキャンをしたデータを情報蓄積装置１０に保存するようにしてもよい。
【００７０】
図１８は本実施形態に係るサービス提供システムの処理手順を表した他の例のシーケンス図である。なお、図１８のシーケンス図におけるステップＳ３１〜Ｓ４０の処理は図４のステップＳ１〜１０と同様であるため、説明を省略する。
【００７１】
また、図４及び図１８のシーケンス図では、ＭＦＰ１３でスキャンをしたデータをＭＦＰ１３が情報蓄積装置１０に保存する場合の処理を示した。本実施形態に係るサービス提供システム１は図１９のシーケンス図に示すように、ＭＦＰ１３でスキャンをしたデータをスマートフォン１１やタブレット端末１２経由で情報蓄積装置１０に保存するようにしてもよい。
【００７２】
図１９は本実施形態に係るサービス提供システムの処理手順を表した他の例のシーケンス図である。なお、図１９のシーケンス図は、ＭＦＰ１３Ａでスキャンをしたデータをスマートフォン１１経由で情報蓄積装置１０に保存する例を示している。また、図１９のシーケンス図におけるステップＳ５１〜Ｓ５６の処理は、図４のステップＳ１〜Ｓ６と同様であるため、説明を省略する。
【００７３】
ステップＳ５７において、スマートフォン１１のアプリケーションは情報蓄積装置１０にスキャン開始命令を行う。スキャン開始命令には、スキャン情報、スキャンを行わせるＭＦＰ１３ＡのＩＰアドレス、スマートフォン１１のＩＰアドレスが含まれる。ステップＳ５７のスキャン開始命令に含まれるスキャン情報には、図１１のスキャン設定画面１１１０により設定されたスキャン設定が含まれる。
【００７４】
スキャン情報、スキャンを行わせるＭＦＰ１３ＡのＩＰアドレス、スマートフォン１１のＩＰアドレスが含まれるファイルが所定のフォルダに書き込まれると、情報蓄積装置１０はステップＳ５８において、所定のフォルダに書き込まれたファイルを元に、スキャン設定を示すコマンドを用いてＭＦＰ１３Ａにスキャン開始命令を行う。なお、ステップＳ５８のスキャン開始命令にはスキャン情報とスマートフォン１１のＩＰアドレスとが含まれている。
【００７５】
ステップＳ５９において、ＭＦＰ１３Ａは情報蓄積装置１０からのスキャン開始命令に含まれるスキャン設定に基づきスキャンを実行する。ステップＳ６０において、ＭＦＰ１３Ａはスキャン開始命令に含まれるスマートフォン１１のＩＰアドレスを元に、スキャンデータをスマートフォン１１に送信する。
【００７６】
ステップＳ６１において、スマートフォン１１はステップＳ３でユーザが選択した情報蓄積装置１０のフォルダへのスキャンデータの保存を例えばＨＴＴＰリクエスト（ＰＯＳＴ）により行う。情報蓄積装置１０のＷｅｂＡｐｉ２６はスマートフォン１１から受信したスキャンデータを、ステップＳ３でユーザが選択したフォルダに保存する。
【００７７】
図１９のシーケンス図では、ＭＦＰ１３Ａでスキャンをしたデータをスマートフォン１１やタブレット端末１２経由で情報蓄積装置１０に保存しているが、スマートフォン１１やタブレット端末１２に保存することも可能である。
【００７８】
さらに、図４、図１８及び図１９のシーケンス図では、情報蓄積装置１０のフォルダへのスキャンデータの保存で処理を終了しているが、例えば図２０のシーケンス図に示すように、情報蓄積装置１０のフォルダに保存したスキャンデータに対するデータ変換などの処理を行ってもよい。
【００７９】
図２０は本実施形態に係るサービス提供システムの処理手順を表した他の例のシーケンス図である。なお、図２０のシーケンス図におけるステップＳ７１〜Ｓ８０の処理は、図４のステップＳ１〜Ｓ１０と同様であるため、説明を適宜省略する。
【００８０】
図２０のシーケンス図では、例えばステップＳ７３で選択されるフォルダの種類により保存したスキャンデータに対するデータ変換などの処理が行われる。図９のフォルダ選択画面１０３０に示した「ｗｏｒｋｆｌｏｗ」フォルダは保存したスキャンデータに対して行う処理を設定できる。したがって、図９のフォルダ選択画面１０３０に示した「ｗｏｒｋｆｌｏｗ」フォルダにデータ変換の処理を設定しておくことで、情報蓄積装置１０はステップＳ８１において「ｗｏｒｋｆｌｏｗ」フォルダに保存されたスキャンデータに対するデータ変換の処理を行うことができる。
［第２の実施形態］
第１の実施形態に係るサービス提供システム１は、情報処理装置から情報蓄積装置１０を介して電子機器にスキャン開始命令を行っていた。第２の実施形態に係るサービス提供システム１は、情報処理装置から情報蓄積装置１０を介さずに電子機器にスキャン開始命令を行うものである。
【００８１】
なお、第２の実施形態に係るサービス提供システム１は、システム構成、ハードウェア構成及びソフトウェア構成が、第１の実施形態に係るサービス提供システム１と同様であるため、システム構成、ハードウェア構成及びソフトウェア構成についての説明を省略している。
【００８２】
＜処理の詳細＞
以下では、本実施形態に係るサービス提供システム１の処理の詳細について説明する。
【００８３】
図２１は、本実施形態に係るサービス提供システムの処理手順を表した一例のシーケンス図である。なお、図２１のシーケンス図におけるステップＳ１０１〜Ｓ１０６の処理は図４のステップＳ１〜Ｓ６の処理と同様であるため、説明を省略する。
【００８４】
ステップＳ１０７において、スマートフォン１１のアプリケーションはカメラ機能により撮影されたＱＲコードから読み取ったＭＦＰ１３ＡのＩＰアドレスを使用して、ＭＦＰ１３Ａにスキャン開始命令を行う。スキャン開始命令には、スキャン情報が含まれる。スマートフォン１１は例えば図１４に示すコマンドを用いてＭＦＰ１３Ａにスキャン開始命令を行う。
【００８５】
ステップＳ１０８において、ＭＦＰ１３Ａはスマートフォン１１からのスキャン開始命令に含まれるスキャン設定に基づき、スキャンを実行する。そして、ステップＳ１０９において、ＭＦＰ１３Ａはスマートフォン１１からのスキャン開始命令に含まれる「スキャンデータを保存するフォルダのパス」に基づき、ステップＳ１０３でユーザが選択した情報蓄積装置１０のフォルダにスキャンデータを保存する。
【００８６】
図２１のシーケンス図によれば、情報蓄積装置１０にＷｅｂＡｐｉ２６を搭載することによりスマートフォン１１に情報蓄積装置１０のフォルダを表示でき、スマートフォン１１からフォルダを選択し、スキャンを実行させたいＭＦＰ１３ＡのＱＲコード１２０１を読み取ることにより、スキャンデータを情報蓄積装置１０の選択したフォルダに保存することができる。
【００８７】
このように、ユーザはスキャン開始時にスマートフォン１１をＭＦＰ１３Ａにかざすことにより、情報蓄積装置１０とスマートフォン１１とＭＦＰ１３Ａとが連携し、ＭＦＰ１３Ａでスキャンしたスキャンデータを、情報蓄積装置１０の選択したフォルダに容易に保存できる。
【００８８】
図２１のシーケンス図ではスマートフォン１１を使用してＭＦＰ１３Ａにスキャンを実行させ、スキャンをしたデータを情報蓄積装置１０に保存する場合の処理を示した。本実施形態に係るサービス提供システム１は図２２のシーケンス図に示すように、タブレット端末１２を使用してＭＦＰ１３Ｂにスキャンを実行させ、スキャンをしたデータを情報蓄積装置１０に保存するようにしてもよい。
【００８９】
図２２は本実施形態に係るサービス提供システムの処理手順を表した他の例のシーケンス図である。なお、図２２のシーケンス図におけるステップＳ１１１〜Ｓ１１９の処理は図２１のステップＳ１０１〜Ｓ１０９と同様であるため、説明を省略する。
【００９０】
また、図２１及び図２２のシーケンス図では、ＭＦＰ１３でスキャンをしたデータをＭＦＰ１３が情報蓄積装置１０に保存する場合の処理を示した。本実施形態に係るサービス提供システム１は図２３のシーケンス図に示すように、ＭＦＰ１３でスキャンをしたデータをスマートフォン１１やタブレット端末１２経由で情報蓄積装置１０に保存するようにしてもよい。
【００９１】
図２３は本実施形態に係るサービス提供システムの処理手順を表した他の例のシーケンス図である。なお、図２３のシーケンス図は、ＭＦＰ１３Ａでスキャンをしたデータをスマートフォン１１経由で情報蓄積装置１０に保存する例を示している。図２３のシーケンス図におけるステップＳ１２１〜Ｓ１２６の処理は、図２１のステップＳ１０１〜Ｓ１０６と同様であるため、説明を省略する。
【００９２】
ステップＳ１２７において、スマートフォン１１のアプリケーションはスキャン設定を示すコマンドを用いてＭＦＰ１３Ａにスキャン開始命令を行う。スキャン開始命令には、スキャン情報、スマートフォン１１のＩＰアドレスが含まれる。ステップＳ１２７のスキャン開始命令に含まれるスキャン情報には図１１のスキャン設定画面１１１０により設定されたスキャン設定が含まれる。
【００９３】
ステップＳ１２８において、ＭＦＰ１３Ａはスマートフォン１１からのスキャン開始命令に含まれるスキャン設定に基づきスキャンを実行する。ステップＳ１２９において、ＭＦＰ１３Ａはスキャン開始命令に含まれるスマートフォン１１のＩＰアドレスを元にスキャンデータをスマートフォン１１に送信する。
【００９４】
ステップＳ１３０において、スマートフォン１１は、ステップＳ１２３でユーザが選択した情報蓄積装置１０のフォルダへのスキャンデータの保存を、例えばＨＴＴＰリクエスト（ＰＯＳＴ）により行う。情報蓄積装置１０のＷｅｂＡｐｉ２６は、スマートフォン１１から受信したスキャンデータを、ステップＳ１２３でユーザが選択したフォルダに保存する。
【００９５】
図２３のシーケンス図では、ＭＦＰ１３Ａでスキャンをしたデータをスマートフォン１１経由で情報蓄積装置１０に保存しているが、スマートフォン１１に保存することも可能である。
［第３の実施形態］
第３の実施形態に係るサービス提供システム１は、システム構成、ハードウェア構成及びソフトウェア構成が、第１の実施形態に係るサービス提供システム１と同様であるため、システム構成、ハードウェア構成及びソフトウェア構成についての説明を省略している。
【００９６】
＜処理の詳細＞
以下では、本実施形態に係るサービス提供システム１の処理の詳細について説明する。
【００９７】
ここではスマートフォン１１を使用して、情報蓄積装置１０が保存するファイルをＭＦＰ１３に印刷させる場合の処理について説明する。図２４は、本実施形態に係るサービス提供システムの処理手順を表した一例のシーケンス図である。なお、図２４のシーケンス図におけるステップＳ２０１、Ｓ２０２の処理は図４のステップＳ１、Ｓ２の処理と同様であるため、説明を省略する。
【００９８】
ステップＳ２０１〜Ｓ２０２の処理を繰り返すことにより、スマートフォン１１には図６〜図７に示した画面と、図２５〜図２６に示す画面とが表示される。
【００９９】
図２５はファイル一覧表示画面の一例のイメージ図である。図２５のファイル一覧表示画面１０５０は図７のフォルダ表示画面１０１０から「ｄａｔａ」フォルダが選択されたあとの画面例である。図２５のファイル一覧表示画面１０５０は、ファイルとして「見積もり書．ｄｏｃ」「Ｓｃａｎ＿２０１２０６０７．ｐｄｆ」が表示されている。
【０１００】
図２６はファイル詳細表示画面の一例のイメージ図である。図２６のファイル詳細表示画面１０６０はファイル一覧表示画面１０５０から「見積もり書．ｄｏｃ」ファイルが選択されたあとの画面例である。図２６のファイル詳細表示画面１０６０は、ファイル一覧表示画面１０５０から選択された「見積もり書．ｄｏｃ」ファイルのイメージ画像１０６３が表示されている。
【０１０１】
ステップＳ２０３において、ユーザはスマートフォン１１を操作し、図２５又は図２６に表示されているファイルからＭＦＰ１３に印刷させるファイルを選択する。ファイル詳細表示画面１０６０で「印刷設定」ボタン１０６１が押下されると、スマートフォン１１はステップＳ２０４において、図２７に示す印刷設定画面１０７０を表示する。図２７は印刷設定画面の一例のイメージ図である。ユーザはスマートフォン１１を操作し、図２７の印刷設定画面１０７０からＭＦＰ１３に実行させる印刷の設定を行う。
【０１０２】
図２５又は図２６に表示されているファイルからＭＦＰ１３に印刷させるファイルを選択したあと、ユーザはファイル詳細表示画面１０６０の「ＱＲ」ボタン１０６２を押下することで、例えば図２８に示すＱＲコード読み取り画面１１５０をスマートフォン１１に表示させる。図２８はＱＲコード読み取り画面の一例のイメージ図である。ＱＲコード読み取り画面１１５０には、ＱＲコード表示領域１１５１が含まれる。ＱＲコード表示領域１１５１はカメラ機能により撮影された画像が表示される領域である。
【０１０３】
ステップＳ２０５、Ｓ２０６において、ユーザはスマートフォン１１を操作し、カメラ機能により撮影されたＱＲコードがＱＲコード読み取り画面１１５０のＱＲコード表示領域１１５１に表示されるように、ＭＦＰ１３上に表示されたＱＲコードとスマートフォン１１との位置関係を調整する。
【０１０４】
スマートフォン１１のアプリケーションはカメラ機能により撮影されたＱＲコードから図１２に示したＭＦＰ１３のＩＰアドレスと、ＭＦＰ１３が提供しているスキャン機能や印刷機能を示す機能情報とを読み取る。
【０１０５】
スマートフォン１１のアプリケーションはＱＲコードからＭＦＰ１３のＩＰアドレスとスキャン機能や印刷機能を示す機能情報とを読み取ったあと、例えば図２９に示すようなダウンロード中であることをユーザに示す画面を表示する。図２９はダウンロード中であることを示す画面の一例のイメージ図である。
【０１０６】
なお、ＭＦＰ１３上にＱＲコードを表示するタイミング、ファイル一覧を情報蓄積装置１０からスマートフォン１１へ提供するタイミング、スマートフォン１１がＭＦＰ１３上からＱＲコードを読み取るタイミングは、図２４のシーケンス図における順番に限定されるものではない。
【０１０７】
ステップＳ２０７において、スマートフォン１１のアプリケーションはＱＲコードから読み取った機能情報に応じて後述のようにファイル形式を決定する。例えば機能情報に印刷機能を含むとき、スマートフォン１１のアプリケーションはファイル形式をＭＦＰ１３で印刷可能なＲＰＣＳやＰＤＬなどに決定する。
【０１０８】
ステップＳ２０８において、スマートフォン１１のアプリケーションは情報蓄積装置１０にファイル取得要求を行う。ファイル取得要求には、ファイル選択の情報と、ステップＳ２０７で決定したファイル形式の情報とが含まれる。
【０１０９】
ステップＳ２０９において、情報蓄積装置１０のＷｅｂＡｐｉ２６はファイル取得要求を受け付け、Ｗｅｂ制御２９にファイル取得要求を行う。Ｗｅｂ制御２９はＷｅｂＡｐｉ２６からのファイル取得要求に含まれる「ファイル選択の情報」を元に、共有フォルダ２７からファイルを取得する。
【０１１０】
また、Ｗｅｂ制御２９はＷｅｂＡｐｉ２６からのファイル取得要求に含まれる「ファイル形式の情報」を元に、共有フォルダ２７から取得したファイルのファイル形式の変換が必要か判定する。例えばファイル形式が同一であれば、Ｗｅｂ制御２９は共有フォルダ２７から取得したファイルのファイル形式の変換が不要と判定する。
【０１１１】
ファイル形式が異なれば、Ｗｅｂ制御２９は共有フォルダ２７から取得したファイルのファイル形式の変換が必要と判定する。ファイル形式の変換が必要と判定すれば、Ｗｅｂ制御２９はドキュメント管理２８にファイル形式の変換を実行させる。ここではファイル形式の変換が必要と判定された例について説明する。Ｗｅｂ制御２９はファイル形式を変換した変換後ファイルをＷｅｂＡｐｉ２６に返す。
【０１１２】
ＷｅｂＡｐｉ２６はステップＳ２１０において、変換後ファイルをＨＴＴＰレスポンスによりスマートフォン１１に提供する。ステップＳ２１１において、スマートフォン１１のアプリケーションは変換後ファイルを印刷ファイルとしてＭＦＰ１３に送信する。
【０１１３】
印刷ファイルをＭＦＰ１３に送信する方法は、例えば図３０に示すように、ソケット通信を使用してＭＦＰ１３の９１００番ポートに送信する方法などがある。図３０は、印刷ファイルをＭＦＰに送信する方法の一例を表した説明図である。ＭＦＰ１３は印刷ファイルを受信すると、ステップＳ２１２において、印刷ファイルを元に、印刷（出力）を実行する。
【０１１４】
図３１は印刷ファイルに含まれるプリントコマンドの一例の構成図である。図３１のプリントコマンドには、図２７の印刷設定画面１０７０により設定された印刷設定と、印刷するファイル名とが含まれる。
【０１１５】
図３２はスマートフォンの処理手順を表した一例のフローチャートである。なお、図３２のフローチャートは図２８に示すＱＲコード読み取り画面１１５０をスマートフォン１１に表示させたあとの処理である。
【０１１６】
ステップＳ２２１において、スマートフォン１１のアプリケーションは、カメラ機能により撮影されたＱＲコードから図１２に示した項目「Ｆｕｎｃｔｉｏｎ」の設定値を読み取る。
【０１１７】
ステップＳ２２２において、スマートフォン１１のアプリケーションは項目「Ｆｕｎｃｔｉｏｎ」の設定値が投影機能（プロジェクタ１４）を表す「Ｐｒｏｊｅｃｔｉｏｎ」であるか否かを判定する。項目「Ｆｕｎｃｔｉｏｎ」の設定値が投影機能を表す「Ｐｒｏｊｅｃｔｉｏｎ」であれば、ステップＳ２２５に進み、スマートフォン１１のアプリケーションはプロジェクタ１４で投影可能なＰＤＦをファイル形式として指定したファイル取得要求を情報蓄積装置１０に対して行う。
【０１１８】
項目「Ｆｕｎｃｔｉｏｎ」の設定値が投影機能を表す「Ｐｒｏｊｅｃｔｉｏｎ」でなければ、ステップＳ２２３に進み、スマートフォン１１のアプリケーションは項目「Ｆｕｎｃｔｉｏｎ」の設定値が印刷機能（ＭＦＰ１３）を表す「Ｐｒｉｎｔ」であるか否かを判定する。項目「Ｆｕｎｃｔｉｏｎ」の設定値が印刷機能を表す「Ｐｒｉｎｔ」であれば、ステップＳ２２４に進み、スマートフォン１１のアプリケーションは、ＭＦＰ１３で印刷可能な印刷データ（ＲＰＣＳ、ＰＤＬ）をファイル形式として指定したファイル取得要求を情報蓄積装置１０に対して行う。なお、ステップＳ２２３において、項目「Ｆｕｎｃｔｉｏｎ」の設定値が印刷機能を表す「Ｐｒｉｎｔ」でなければ、スマートフォン１１のアプリケーションはファイル取得要求で指定すべきファイル形式を判定できないため、ステップＳ２２６に進み、エラー表示を行う。
【０１１９】
図２４のシーケンス図によれば、情報蓄積装置１０にＷｅｂＡｐｉ２６を搭載することによりスマートフォン１１に情報蓄積装置１０の共有フォルダ２７に置かれたファイルを表示できる。ユーザはスマートフォン１１からファイルを選択し、印刷を実行させたいＭＦＰ１３のＱＲコード１２０１を読み取ることにより、ＭＦＰ１３で印刷可能なファイル形式の変換後ファイルを情報蓄積装置１０から取得できる。スマートフォン１１は情報蓄積装置１０から取得した変換後ファイルを印刷ファイルとしてＭＦＰ１３に送信することにより、ＭＦＰ１３に印刷を実行させることができる。
【０１２０】
このように、ユーザは、印刷開始時にスマートフォン１１をＭＦＰ１３にかざすことにより、情報蓄積装置１０とスマートフォン１１とＭＦＰ１３とを連携させ、情報蓄積装置１０の共有フォルダ２７に置かれたファイルを容易にＭＦＰ１３から印刷できる。
【０１２１】
図２４のシーケンス図ではスマートフォン１１を使用して情報蓄積装置１０からファイルを取得し、ＭＦＰ１３で印刷する場合の処理を示した。本実施形態に係るサービス提供システム１は図３３のシーケンス図に示すように、スマートフォン１１を使用して情報蓄積装置１０からファイルを取得し、プロジェクタ１４で投影するようにしてもよい。
【０１２２】
図３３は本実施形態に係るサービス提供システムの処理手順を表した他の例のシーケンス図である。なお、図３３のシーケンス図におけるステップＳ２３１〜Ｓ２３３の処理は図２４のステップＳ２０１〜Ｓ２０３と同様であるため、説明を省略する。ファイル詳細表示画面１０６０で「投影設定」ボタン（図示せず）が押下されると、スマートフォン１１はステップＳ２３４において投影設定画面を表示する。
【０１２３】
ユーザはスマートフォン１１を操作し、表示された投影設定画面からプロジェクタ１４に実行させる投影の設定を行う。
【０１２４】
図２５又は図２６に表示されているファイルからプロジェクタ１４に投影させるファイルを選択したあと、ユーザはファイル詳細表示画面１０６０の「ＱＲ」ボタン１０６２を押下し、例えば図２８に示したＱＲコード読み取り画面１１５０をスマートフォン１１に表示させる。
【０１２５】
ステップＳ２３５、Ｓ２３６において、ユーザはスマートフォン１１を操作し、カメラ機能により撮影されたＱＲコードがＱＲコード読み取り画面１１５０のＱＲコード表示領域１１５１に表示されるように、プロジェクタ１４上に表示されたＱＲコードと、スマートフォン１１との位置関係を調整する。
【０１２６】
スマートフォン１１のアプリケーションはカメラ機能により撮影されたＱＲコードから図３４に示すようなプロジェクタ１４のＩＰアドレスと、プロジェクタ名と、プロジェクタ１４が提供している投影機能を示す機能情報と、プロジェクタ１４のタイプとを読み取る。図３４はＱＲコードから読み取る情報の一例の構成図である。
【０１２７】
スマートフォン１１のアプリケーションはＱＲコードからプロジェクタ１４のＩＰアドレスと投影機能を示す機能情報とを読み取ったあと、例えば図２９に示したダウンロード中であることをユーザに示す画面を表示する。
【０１２８】
なお、プロジェクタ１４上にＱＲコードを表示するタイミング、ファイル一覧を情報蓄積装置１０からスマートフォン１１へ提供するタイミング、スマートフォン１１がプロジェクタ１４上からＱＲコードを読み取るタイミングは、図３３のシーケンス図における順番に限定されるものではない。
【０１２９】
ステップＳ２３７において、スマートフォン１１のアプリケーションはＱＲコードから読み取った機能情報に応じて、図３２に示したようにファイル形式を決定する。例えば機能情報に投影機能を含むとき、スマートフォン１１のアプリケーションはファイル形式をプロジェクタ１４で投影可能なＰＤＦなどに決定する。
【０１３０】
ステップＳ２３８〜Ｓ２４０の処理は図２４のステップＳ２０８〜Ｓ２１０と同様であるため説明を省略する。ステップＳ２４１において、スマートフォン１１のアプリケーションは、変換後ファイルを投影ファイルとしてプロジェクタ１４に送信する。投影ファイルをプロジェクタ１４に送信する方法は例えば図３５に示すように、プロジェクタ１４が公開しているＷｅｂＡｐｉを使用する方法などがある。図３５は投影ファイルをプロジェクタに送信する方法の一例を表した説明図である。プロジェクタ１４は投影ファイルを受信すると、ステップＳ２４２において、投影ファイルを元に、投影（出力）を実行する。
【０１３１】
また、プロジェクタ１４は図３６に示すようにＱＲコード１３００を含む画面を投影スクリーンなどに投影してもよいし、プロジェクタ１４の筐体にＱＲコード１３０１を貼り付けておいてもよい。図３６はプロジェクタ上に表示されるＱＲコードの一例のイメージ図である。例えばプロジェクタ１４はＷｅｂブラウザ（図示せず）で情報蓄積装置１０のＱＲコード表示ＷｅｂＵＩ２５を表示することによりＱＲコード１３００を投影できる。プロジェクタ１４はＱＲコード１３００の画像データを自機内に保存しておいても外部から取得するようにしてもよい。
【０１３２】
プロジェクタ１４の筐体にＱＲコード１３０１のシールを貼付する以外にも、例えばプロジェクタ１４が設置されている部屋の壁などにＱＲコード１３０１のシールを貼付しておいてもよい。つまり、シールを貼付する位置は、プロジェクタ１４に紐付くＱＲコード１３０１であることをユーザが認識できる位置であればよい。
【０１３３】
図２４のシーケンス図ではスマートフォン１１を使用して情報蓄積装置１０からファイルを取得し、ＭＦＰ１３で印刷する場合の処理を示した。本実施形態に係るサービス提供システム１は図３７のシーケンス図に示すように、タブレット端末１２を使用して情報蓄積装置１０からファイルを取得し、ＭＦＰ１３で印刷するようにしてもよい。
【０１３４】
図３７は本実施形態に係るサービス提供システムの処理手順を表した他の例のシーケンス図である。なお、図３７のシーケンス図におけるステップＳ２５１〜Ｓ２６２の処理は図２４のステップＳ２０１〜２１２と同様であるため、説明を省略する。
【０１３５】
なお、図３３のシーケンス図では、スマートフォン１１を使用して情報蓄積装置１０からファイルを取得し、プロジェクタ１４で投影する場合の処理を示したが、図３７と同様にタブレット端末１２を使用して情報蓄積装置１０からファイルを取得し、プロジェクタ１４で投影するようにしてもよい。
［第４の実施形態］
第４の実施形態に係るサービス提供システム１は、システム構成、ハードウェア構成及びソフトウェア構成が、第１の実施形態に係るサービス提供システム１と同様であるため、システム構成、ハードウェア構成及びソフトウェア構成についての説明を省略している。
【０１３６】
＜処理の詳細＞
以下では、本実施形態に係るサービス提供システム１の処理の詳細について説明する。
【０１３７】
ここではスマートフォン１１を使用して、情報蓄積装置１０が保存するファイルをＭＦＰ１３に印刷させる場合の処理について説明する。図３８は、本実施形態に係るサービス提供システムの処理手順を表した一例のシーケンス図である。なお、図３８のシーケンス図におけるステップＳ３０１〜Ｓ３０７の処理は図２４のステップＳ２０１〜Ｓ２０７の処理と同様であるため、説明を省略する。
【０１３８】
ステップＳ３０８において、スマートフォン１１のアプリケーションは情報蓄積装置１０にファイル出力要求を行う。ファイル出力要求には、ファイル選択の情報と、ステップＳ３０７で決定したファイル形式の情報と、ＭＦＰ１３のＩＰアドレスとが含まれる。
【０１３９】
ステップＳ３０９において、情報蓄積装置１０のＷｅｂＡｐｉ２６はファイル出力要求を受け付け、Ｗｅｂ制御２９にファイル出力要求を行う。Ｗｅｂ制御２９はＷｅｂＡｐｉ２６からのファイル出力要求に含まれる「ファイル選択の情報」を元に、共有フォルダ２７からファイルを取得する。
【０１４０】
また、Ｗｅｂ制御２９はＷｅｂＡｐｉ２６からのファイル出力要求に含まれる「ファイル形式の情報」を元に、共有フォルダ２７から取得したファイルのファイル形式の変換が必要か判定する。例えばファイル形式が同一であれば、Ｗｅｂ制御２９は共有フォルダ２７から取得したファイルのファイル形式の変換が不要と判定する。
【０１４１】
ファイル形式が異なれば、Ｗｅｂ制御２９は共有フォルダ２７から取得したファイルのファイル形式の変換が必要と判定する。ファイル形式の変換が必要と判定すれば、Ｗｅｂ制御２９はドキュメント管理２８にファイル形式の変換を実行させる。ここではファイル形式の変換が必要と判定された例について説明する。Ｗｅｂ制御２９はファイル形式を変換した変換後ファイルをＷｅｂＡｐｉ２６に返す。
【０１４２】
ステップＳ３１０において、ＷｅｂＡｐｉ２６は変換後ファイルを印刷ファイルとしてＭＦＰ１３に送信する。印刷ファイルをＭＦＰ１３に送信する方法は、例えば図３０に示したように、ソケット通信を使用してＭＦＰ１３の９１００番ポートに送信する方法などがある。ＭＦＰ１３は印刷ファイルを受信すると、ステップＳ３１１において、印刷ファイルを元に、印刷（出力）を実行する。
【０１４３】
図３８のシーケンス図によれば、情報蓄積装置１０にＷｅｂＡｐｉ２６を搭載することによりスマートフォン１１に情報蓄積装置１０の共有フォルダ２７に置かれたファイルを表示できる。ユーザはスマートフォン１１からファイルを選択し、印刷を実行させたいＭＦＰ１３のＱＲコード１２０１を読み取ることにより、ＭＦＰ１３で印刷可能なファイル形式を指定してＭＦＰ１３に印刷を実行させることができる。
【０１４４】
このように、ユーザは、印刷開始時にスマートフォン１１をＭＦＰ１３にかざすことにより、情報蓄積装置１０とスマートフォン１１とＭＦＰ１３とを連携させ、情報蓄積装置１０の共有フォルダ２７に置かれたファイルを容易にＭＦＰ１３から印刷できる。
【０１４５】
図３８のシーケンス図ではスマートフォン１１を使用して情報蓄積装置１０からＭＦＰ１３にファイルを送信させ、ＭＦＰ１３で印刷する場合の処理を示した。本実施形態に係るサービス提供システム１は、図３９のシーケンス図に示すように、スマートフォン１１を使用して情報蓄積装置１０からプロジェクタ１４にファイルを送信させ、プロジェクタ１４で投影するようにしてもよい。
【０１４６】
図３９は本実施形態に係るサービス提供システムの処理手順を表した他の例のシーケンス図である。なお、図３９のシーケンス図におけるステップＳ３３１〜Ｓ３３３の処理は図３８のステップＳ３０１〜３０３と同様であるため、説明を省略する。
【０１４７】
ファイル詳細表示画面１０６０で「投影設定」ボタン（図示せず）が押下されると、スマートフォン１１はステップＳ３３４において投影設定画面を表示する。ユーザはスマートフォン１１を操作し、表示された投影設定画面からプロジェクタ１４に実行させる投影の設定を行う。
【０１４８】
図２５又は図２６に表示されているファイルからプロジェクタ１４に投影させるファイルを選択したあと、ユーザはファイル詳細表示画面１０６０の「ＱＲ」ボタン１０６２を押下することにより、例えば図２８に示したＱＲコード読み取り画面１１５０をスマートフォン１１に表示させる。
【０１４９】
ステップＳ３３５、Ｓ３３６において、ユーザはスマートフォン１１を操作し、カメラ機能により撮影されたＱＲコードが、ＱＲコード読み取り画面１１５０のＱＲコード表示領域１１５１に表示されるように、プロジェクタ１４上に表示されたＱＲコードと、スマートフォン１１との位置関係を調整する。
【０１５０】
スマートフォン１１のアプリケーションはカメラ機能により撮影されたＱＲコードから図３４に示したようなプロジェクタ１４のＩＰアドレスと、プロジェクタ名と、プロジェクタ１４が提供している投影機能を示す機能情報と、プロジェクタ１４のタイプとを読み取る。
【０１５１】
なお、プロジェクタ１４上にＱＲコードを表示するタイミング、ファイル一覧を情報蓄積装置１０からスマートフォン１１へ提供するタイミング、スマートフォン１１がプロジェクタ１４上からＱＲコードを読み取るタイミングは、図３９のシーケンス図における順番に限定されるものではない。
【０１５２】
ステップＳ３３７において、スマートフォン１１のアプリケーションはＱＲコードから読み取った機能情報に応じて、図３２に示したようにファイル形式を決定する。例えば機能情報に投影機能を含むとき、スマートフォン１１のアプリケーションはファイル形式をプロジェクタ１４で投影可能なＰＤＦなどに決定する。
【０１５３】
ステップＳ３３８において、スマートフォン１１のアプリケーションは情報蓄積装置１０にファイル出力要求を行う。ファイル出力要求には、ファイル選択の情報と、ステップＳ３３７で決定したファイル形式の情報と、プロジェクタ１４のＩＰアドレスとが含まれている。
【０１５４】
ステップＳ３３９において、情報蓄積装置１０のＷｅｂＡｐｉ２６はファイル出力要求を受け付け、Ｗｅｂ制御２９にファイル出力要求を行う。Ｗｅｂ制御２９はＷｅｂＡｐｉ２６からのファイル出力要求に含まれる「ファイル選択の情報」を元に、共有フォルダ２７からファイルを取得する。
【０１５５】
また、Ｗｅｂ制御２９はＷｅｂＡｐｉ２６からのファイル出力要求に含まれる「ファイル形式の情報」を元に、共有フォルダ２７から取得したファイルのファイル形式の変換が必要か判定する。例えばファイル形式が同一であれば、Ｗｅｂ制御２９は共有フォルダ２７から取得したファイルのファイル形式の変換が不要と判定する。
【０１５６】
ファイル形式が異なれば、Ｗｅｂ制御２９は共有フォルダ２７から取得したファイルのファイル形式の変換が必要と判定する。ファイル形式の変換が必要と判定すれば、Ｗｅｂ制御２９はドキュメント管理２８にファイル形式の変換を実行させる。ここではファイル形式の変換が必要と判定された例について説明する。Ｗｅｂ制御２９はファイル形式を変換した変換後ファイルをＷｅｂＡｐｉ２６に返す。
【０１５７】
ステップＳ３４０において、ＷｅｂＡｐｉ２６は変換後ファイルを投影ファイルとしてプロジェクタ１４に送信する。投影ファイルをプロジェクタ１４に送信する方法は例えば図３５に示したように、プロジェクタ１４が公開しているＷｅｂＡｐｉを使用する方法などがある。また、ステップＳ３４１において、プロジェクタ１４は投影ファイルを受信すると、投影ファイルを元に、投影（出力）を実行する。
【０１５８】
図３９のシーケンス図によれば、情報蓄積装置１０にＷｅｂＡｐｉ２６を搭載することによりスマートフォン１１に情報蓄積装置１０の共有フォルダ２７に置かれたファイルを表示できる。ユーザはスマートフォン１１からファイルを選択し、投影を実行させたいプロジェクタ１４のＱＲコード１３００又は１３０１を読み取ることにより、プロジェクタ１４で投影可能なファイル形式を指定してプロジェクタ１４に投影を実行させることができる。
【０１５９】
このように、ユーザは、投影開始時にスマートフォン１１をプロジェクタ１４にかざすことにより、情報蓄積装置１０とスマートフォン１１とプロジェクタ１４とを連携させ、情報蓄積装置１０の共有フォルダ２７に置かれたファイルを容易にプロジェクタ１４から投影できる。
【０１６０】
図３８のシーケンス図ではスマートフォン１１を使用して情報蓄積装置１０からＭＦＰ１３にファイルを送信させ、ＭＦＰ１３で印刷する場合の処理を示した。本実施形態に係るサービス提供システム１は図４０のシーケンス図に示すように、タブレット端末１２を使用して情報蓄積装置１０からＭＦＰ１３にファイルを送信させ、ＭＦＰ１３で印刷するようにしてもよい。
【０１６１】
図４０は本実施形態に係るサービス提供システムの処理手順を表した他の例のシーケンス図である。なお、図４０のシーケンス図におけるステップＳ３５１〜Ｓ３６１の処理は図３８のステップＳ３０１〜Ｓ３１１と同様であるため、説明を省略する。なお、図３９のシーケンス図ではスマートフォン１１を使用して情報蓄積装置１０からプロジェクタ１４にファイルを送信させ、プロジェクタ１４で投影する場合の処理を示したが、図４０と同様、タブレット端末１２を使用して情報蓄積装置１０からプロジェクタ１４にファイルを送信させ、プロジェクタ１４で投影するようにしてもよい。
【０１６２】
図４０のシーケンス図によれば、情報蓄積装置１０にＷｅｂＡｐｉ２６を搭載することによりタブレット端末１２に情報蓄積装置１０の共有フォルダ２７に置かれたファイルを表示できる。ユーザはタブレット端末１２からファイルを選択し、ファイルの印刷を実行させたいＭＦＰ１３のＱＲコード１２０１を読み取ることにより、ＭＦＰ１３で印刷可能なファイル形式を指定してＭＦＰ１３に印刷を実行させることができる。
【０１６３】
このように、ユーザは、印刷開始時にタブレット端末１２をＭＦＰ１３にかざすことにより、情報蓄積装置１０とタブレット端末１２とＭＦＰ１３とを連携させ、情報蓄積装置１０の共有フォルダ２７に置かれたファイルを容易にＭＦＰ１３から印刷できる。
【０１６４】
また、ＭＦＰ１３の機能の１つであるファクシミリ機能を用いて、情報蓄積装置１０に記憶されたデータをＦＡＸ送信することも当然可能である。この場合、図２４のステップＳ２０３において、印刷条件を設定する代わりにＦＡＸ送信条件を設定する。
【０１６５】
ＦＡＸ送信条件とは、送付状の有無、送信結果通知先、日付の印字有無、送信元情報、送信先情報などである。また、ＦＡＸ送信条件は、スマートフォン１１で動作する他のアプリケーションの情報を用いても良い。例えば、ＦＡＸ送信先情報の宛先番号をアドレス管理用の別のアプリケーションで管理されるデータの中からユーザに選択させてもよい。
【０１６６】
情報蓄積装置１０は、受信したＦＡＸ送信条件に応じてＦＡＸ送信用画像データを生成する。なお、情報蓄積装置１０は予め生成して記憶しておいたＦＡＸ送信用画像データを利用しても良いし、ＦＡＸ送信指示をスマートフォン１１から受信した後にＦＡＸ送信用画像データを生成するようにしても良い。
【０１６７】
生成されたＦＡＸ送信用画像データはＭＦＰ１３に送信される。ＭＦＰ１３は受信したＦＡＸ送信用画像データを宛先へ送信する。
【０１６８】
また、情報蓄積装置１０に記憶されたデータをスマートフォン１１で表示させるだけでなく、スマートフォン１１内に情報蓄積装置１０に記憶されたデータを蓄積させるようにしても良い。
【０１６９】
＜まとめ＞
以上、本実施形態に係るサービス提供システム１によれば、ユーザはスマートフォン１１やタブレット端末１２などの情報処理装置を、ＭＦＰ１３やプロジェクタ１４などの電子機器にかざして、ＱＲコードなどの電子機器を特定する情報を取得することで、情報蓄積装置１０などの連携処理装置と情報処理装置と電子機器とを連携させ、電子機器を用いた様々なサービスを提供できる。
【０１７０】
また、ＭＦＰ１３やプロジェクタ１４などの電子機器とスマートフォン１１やタブレット端末１２などの情報処理装置と情報蓄積装置１０などの連携処理装置とが提供する印刷や投影、スキャンといったそれぞれのサービスに応じた連携方法で連携することにより、様々なサービスを提供できる。
【０１７１】
そして、本実施例に記載したＭＦＰ１３及びプロジェクタ１４、あるいは他の新たな電子機器を用いた新たなサービスの提供に係る連携方法を予めサービス提供システム１上で定義しておくことにより、その新たなサービスに応じた連携方法でＭＦＰ１３及びプロジェクタ１４、あるいは他の新たな電子機器などの電子機器とスマートフォン１１やタブレット端末１２などの情報処理装置と情報蓄積装置１０などの連携処理装置とを連携させることができる。そのため、既存サービスに加えて、新たなサービスも提供可能となる。
【０１７２】
本発明は、具体的に開示された上記の実施形態に限定されるものではなく、特許請求の範囲から逸脱することなく、種々の変形や変更が可能である。
【符号の説明】
【０１７３】
１    サービス提供システム
１０    情報蓄積装置
１１    スマートフォン
１２    タブレット端末
１３、１３Ａ、１３Ｂ    ＭＦＰ（Ｍｕｌｔｉ  Ｆｕｎｃｔｉｏｎ  Ｐｅｒｉｐｈｅｒａｌ：複合機）
１４    プロジェクタ
２１    ＯＳ
２２    Ｗｅｂサーバ
２３    アプリケーションサーバ
２４    ＷｅｂＵＩ
２５    ＱＲコード表示ＷｅｂＵＩ
２６    ＷｅｂＡｐｉ
２７    共有フォルダ
２８    ドキュメント管理
２９    Ｗｅｂ制御
１００    コンピュータシステム
１０１    入力装置
１０２    表示装置
１０３    外部Ｉ／Ｆ
１０３ａ    記録媒体
１０４    ＲＡＭ
１０５    ＲＯＭ
１０６    ＣＰＵ
１０７    通信Ｉ／Ｆ
１０８    ＨＤＤ
Ｂ    バス
Ｎ１    ネットワーク
【先行技術文献】
【特許文献】
【０１７４】
【特許文献１】特開２０１１−３５８３３号公報
【図１】
2014032661.tif 000003
【図２】
2014032661.tif 000004
【図３】
2014032661.tif 000005
【図４】
2014032661.tif 000006
【図５】
2014032661.tif 000007
【図６】
2014032661.tif 000008
【図７】
2014032661.tif 000009
【図８】
2014032661.tif 000010
【図９】
2014032661.tif 000011
【図１０】
2014032661.tif 000012
【図１１】
2014032661.tif 000013
【図１２】
2014032661.tif 000014
【図１３】
2014032661.tif 000015
【図１４】
2014032661.tif 000016
【図１５】
2014032661.tif 000017
【図１６】
2014032661.tif 000018
【図１７】
2014032661.tif 000019
【図１８】
2014032661.tif 000020
【図１９】
2014032661.tif 000021
【図２０】
2014032661.tif 000022
【図２１】
2014032661.tif 000023
【図２２】
2014032661.tif 000024
【図２３】
2014032661.tif 000025
【図２４】
2014032661.tif 000026
【図２５】
2014032661.tif 000027
【図２６】
2014032661.tif 000028
【図２７】
2014032661.tif 000029
【図２８】
2014032661.tif 000030
【図２９】
2014032661.tif 000031
【図３０】
2014032661.tif 000032
【図３１】
2014032661.tif 000033
【図３２】
2014032661.tif 000034
【図３３】
2014032661.tif 000035
【図３４】
2014032661.tif 000036
【図３５】
2014032661.tif 000037
【図３６】
2014032661.tif 000038
【図３７】
2014032661.tif 000039
【図３８】
2014032661.tif 000040
【図３９】
2014032661.tif 000041
【図４０】
2014032661.tif 000042